(57)【要約】      （修正有）【課題】階段の昇り降りの通行に際して、その安全性を向上すると共に、宣伝効果にも寄与するシンボルマーク付き安全階段を提供する。【解決手段】全ての階段の蹴り上げの部分に、安全のため帯状のベルトにシンボルマーク、広告を入れた階段。【選択図】図１
0003134130.tif 000002
【実用新案登録請求の範囲】
【請求項１】
全ての階段の蹴上げ（▲１▼）の部分に安全の為、広告等を入れシンボルマ−ク等を入れた安全階段。
【考案の詳細な説明】
【考案の目標】
【０００１】本考案は、図のように階段通路の蹴上げ（▲１▼）の部分に、シンボルマ−ク等を入れ、はなやかさを増すことにより、通行の安全性を増します。
【考案の構成】
【０００２】図のように、階段の蹴上げ（▲１▼）の部分に、明るいデザイン的なシボルマ−クを入れる事により更に安全性を増すばかりでなく工事費及び階段の保安にも役立ちます。
従つて、色彩には明るい色を用いれば、弱者保護の上からも、その上産業発展の助けにもなると考えられます。
【考案の目的】
【０００３】先ず人の流れの方向がはつきりしていない所が多いため、急ぐ人が駆け上がり、駆け下りる時にぶつかつたりして骨折などの怪我をすろ危険性が有る事です。
これらの事はごく当たり前である筈ですがまつたく守られていない場所が多い上に、今後社会生活をする為には駅、高層ビル、歩道橋などと複雑さを増す傾向にあります。
今後益々若者が少なくなり老人の割合がふえ、更に外国人が増える傾向にある時、今の内に産業の為の対策を考えるべきだと思います。
尚本考案は危険地区に入る前に知覚により心の準備をする事が出来ます。
もし此の考えが通りますればその為に摩擦が少なく、色あせが少なく、耐久力の有るもの、テ−プ、タイル、等の研究を致します。
また、作業としまして比較的らくで安全性は高く年輩者、外国人を問わず可能です。
【考案の効果】
【０００４】最後になりましたが現在の不景気を吹き飛ばし実行する事が出来ますれば老人の問題、リストラの問題、失業その他の問題も解決出来る事になりその上当局としましても費用の点でも多いに助かる事になると期待して居ります。
尚この件は今までに統一された事例はなく公知になつて居りませんので全く新規性のものであり安全性と産業発達の為には有効で有ります。
また、以上の事は喜寿を迎える様になつてこそより強く感じる様になりました。
【図面の簡単な説明】
【０００５】
【図１】階段蹴上げ（▲１▼）の部分にシンボルマ−ク付安全階段を示しました姿図です。
【図１】
0003134130.tif 000003
【手続補正書】
【提出日】平成18年7月3日(2006.7.3)
【手続補正１】
【補正対象書類名】実用新案登録請求の範囲
【補正対象項目名】全文
【補正方法】変更
【補正の内容】
【実用新案登録請求の範囲】
【請求項１】
全お階段の蹴上げ（▲１▼）の部分に安全の為、広告等を入れ、シンボルマーク等を入れた安全階段。
【手続補正書】
【提出日】平成18年9月28日(2006.9.28)
【手続補正１】
【補正対象書類名】実用新案登録請求の範囲
【補正対象項目名】全文
【補正方法】変更
【補正の内容】
【実用新案登録請求の範囲】
【請求項１】
（１）全ての階段の蹴上（▲１▼）の部分に安全の為、３シンボルマーク、広告等をを入れた安全階段。
（２）本考案は、図のように階段の蹴上げ（▲１▼）の部分に、シンボルマーク等を入れ華やかさを増すと共に通行の安全を増します。
【手続補正書】
【提出日】平成18年12月7日(2006.12.7)
【手続補正１】
【補正対象書類名】実用新案登録請求の範囲
【補正対象項目名】全文
【補正方法】変更
【補正の内容】
【実用新案登録請求の範囲】
【請求項１】
全ての階段の蹴上▲１▼の部分に安全の為シンボルマーク、広告等を入れた安全階段。
【手続補正書】
【提出日】平成19年2月22日(2007.2.22)
【手続補正１】
【補正対象書類名】実用新案登録請求の範囲
【補正対象項目名】全文
【補正方法】変更
【補正の内容】
【実用新案登録請求の範囲】
【請求項１】
階段の蹴上（１）の部分に安全の為、別途作成しました帯状のベルトにシンボルマーク、広告を入れた安全階段。
【手続補正２】
【補正対象書類名】明細書
【補正対象項目名】全文
【補正方法】変更
【補正の内容】
【考案の詳細な説明】
【考案の構成】
【０００１】図のように、階段の蹴上げ（▲１▼）の部分に、明るいデザイン的なシンボルマークを入れる事により更に安全性を増すばかりでなく工事費及び階段の保安にも役立ちます。
従つて、色彩には明るい色を用いれば、弱者保護の上からも、その上産業発展の助けにもなると考えられます。
【考案の目的】
【０００２】先ず人の流れの方向がはつきりしていない所が多いため、急ぐ人が駆け上がり、駆け下りる時にぶつかつたりして骨折などの怪我をする危険性がある事です。
これらの事はごく当たり前である筈ですがまつたく守られてない場所が多い上に、今後社会生活をする為には駅、高層ビル、歩道橋などと複雑さを増す傾向にあります。
今後益々若者が少なくなり老人の割合がふえ、更に外国人が増える傾向にある時、今の内に産業の為の対策を考えるべきではないかと思います。
尚本考案は危険地区に入る前に知覚により心の準備をする事が出来ます。
もし此の考えが通りますればその為に摩擦が少なく、色あせが少なく、耐久力の有るもの、テープ、タイル、等の研究を致します。
叉作業としまして比較的らくで安全性は高く年輩者、外国人を問わず可能です。
【考案の効果】
【０００３】最後になりましたが現在の不景気を吹き飛ばし実行する事が出来ますれば老人の問題、リストラの問題、失業その他の問題も解決出来る事になりその上当局としましても費用の点でも多いに助かる事になると期待して居ります。
尚この件は今までに統一された事例はなく公知になつて居りませんので全く新規性のものであり安全性と産業発達の為には有効で有ります。    以上からなります安全階段です。
【手続補正３】
【補正対象書類名】図面
【補正対象項目名】全図
【補正方法】変更
【補正の内容】
【図１】
0003134130.tif 000004
0003134130.tif 000005
【図２】
0003134130.tif 000006
【手続補正書】
【提出日】平成19年5月7日(2007.5.7)
【手続補正１】
【補正対象書類名】手続補正書
【補正対象項目名】手続補正２
【補正方法】変更
【補正の内容】
【手続補正２】
【補正対象書類名】明細書
【補正対象項目名】全文
【補正方法】変更
【補正の内容】
【考案の詳細な説明】
【考案の構成】
【０００１】図のように、階段の蹴上げ（▲１▼）の部分に、明るいデザイン的なシンボルマークを入れる事により更に安全性を増すばかりでなく工事費及び階段の保安にも役立ちます。
従って、色彩には明るい色を用いれば、弱者保護の上からも、その上産業発展の助けにもなると考えられます。
【考案の目的】
【０００２】先ず人の流れの方向がはつきりしていない所が多いため、急ぐ人が駆け上がり、駆け下りる時にぶつかつたりして骨折などの怪我をする危険性がある事です。
これらの事はごく当たり前である筈ですがまつたく守られてない場所が多い上に、今後社会生活をする為には駅、高層ビル、歩道橋などと複雑さを増す傾向にあります。
今後益々若者が少なくなり老人の割合がふえ、更に外国人が増える傾向にある時、今の内に産業の為の対策を考えるべきではないかと思います。
尚本考案は危険地区に入る前に知覚により心の準備をする事が出来ます。
もし此の考えが通りますればその為に摩擦が少なく、色あせが少なく、耐久力の有るもの、テープ、タイル、等の研究を致します。
叉作業としまして比較的らくで安全性は高く年輩者、外国人を問わず可能です。
【考案の効果】
【０００３】最後になりましたが現在の不景気を吹き飛ばし実行する事が出来ますれば老人の問題、リストラの問題、失業その他の問題も解決出来る事になりその上当局としましても費用の点でも多いに助かる事になると期待して居ります。
尚この件は今までに統一された事例はなく公知になって居りませんので全く新規性のものであり安全性と産業発達の為には有効で有ります。以上からなります安全階段です。
【図面の簡単な説明】
【０００４】
【図−１】  階段の蹴上（１）の部分に安全の為、別途作成しました帯状のベルト
【図−２】  にシンボルマーク、広告を入れた安全階段。  尚、簡単な図面としましては次頁の図−１、図−２の通りで有ります。
【手続補正２】
【補正対象書類名】手続補正書
【補正対象項目名】手続補正３
【補正方法】変更
【補正の内容】
【手続補正３】
【補正対象書類名】図面
【補正対象項目名】全図
【補正方法】変更
【補正の内容】
【図−１】
0003134130.tif 000007
【図−２】
0003134130.tif 000008